(57)【要約】【課題】調整後の表示部が動きにくく、再調整が容易であるヘッドマウントディスプレイを提供する。【解決手段】  保持部４には、回動部６を介して表示部アーム７が、装着時の左右方向を回動軸として回動自在に設けられ、表示部アーム７先端部には表示部８が回動部９を介して取り付けられている。回動部６の回動軸は、装着時の左右方向となっており、表示部アーム７は保持部４に対して上下方向の回動が可能である。又、回動部６には周知のクリック機構が設けられており、表示部アーム７の回動は決まったピッチずつ可能なようになっている。そのため、ある回動位置から次の回動位置まで回動させるには、ある程度の力を要し、容易に回動できないようになっている。このように、表示部アーム７の回動がクリック機構により制限されるので、一度位置調整を行っておけば、非装着時に位置ずれを起こす可能性が少なくなり、装着のたびに調整し直す必要が少なくなる。【選択図】  図１
2008147742.tif 000002
【特許請求の範囲】
【請求項１】
頭部に装着して使用し、映像を出力するヘッドマウントディスプレイであって、頭部側面と接触する左右のパッドと、前記パッドをそれぞれ保持する左右の保持部と、前記保持部を連結して、前記パッドを頭部側面の左右に押し付けるような付勢力を与えるヘッドバンド部と、一方の前記保持部に第１の回動部を介して連結された表示部アームと、前記表示部アームの先端に第２の回動部を介して連結された表示部を有し、前記第１の回動部は、クリック機構により、１〜５°の間の所定の値をピッチとして間欠的な回動が可能であることを特徴とするヘッドマウントディスプレイ。
【請求項２】
前記第１の回動部の標準的な回動位置に、目印が設けられていることを特徴とする請求項１に記載のヘッドマウントディスプレイ。
【請求項３】
頭部に装着して使用し、映像を出力するヘッドマウントディスプレイであって、頭部側面と接触する左右のパッドと、前記パッドをそれぞれ保持する左右の保持部と、前記保持部を連結して、前記パッドを頭部側面の左右に押し付けるような付勢力を与えるヘッドバンド部と、一方の前記保持部に第１の回動部を介して連結された表示部アームと、前記表示部アームの先端に第２の回動部を介して連結された表示部を有し、前記第２の回動部は、クリック機構により、３〜１０°の間の所定の値をピッチとして間欠的な回動が可能であることを特徴とするヘッドマウントディスプレイ。
【請求項４】
前記第２の回動部の標準的な回動位置に、目印が設けられていることを特徴とする請求項３に記載のヘッドマウントディスプレイ。
【請求項５】
頭部に装着して使用し、映像を出力するヘッドマウントディスプレイであって、頭部側面と接触する左右のパッドと、前記パッドをそれぞれ保持する左右の保持部と、前記保持部を連結して、前記パッドを頭部側面の左右に押し付けるような付勢力を与えるヘッドバンド部と、一方の前記保持部に第１の回動部を介して連結された表示部アームと、前記表示部アームの先端に第２の回動部を介して連結された表示部を有し、前記第１の回動部は、クリック機構により、１〜５°の間の所定の値をピッチとして間欠的な回動が可能であり、前記第２の回動部は、クリック機構により、３〜１０°の間の所定の値をピッチとして間欠的な回動が可能であり、前記第１の回動部の回動ピッチと、前記第２の回動部の回動ピッチの比が、１〜２の間の値とされていることを特徴とするヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ウェアラブルディスプレイと呼ばれている。このようなウェアラブルディスプレイの例は、例えばＷＯ２００４／０６１５１９Ａ１公報（特許文献１）に記載されている。
【０００３】
この映像表示装置は、多くの場合、頭に巻いた形で頭部に装着する構成とされ（ヘッドマウントディスプレイと呼ばれている）、両眼に対応する位置に映像表示系を形成した両眼タイプと左右眼の一方の眼に対応する位置に映像表示系を形成した片眼タイプとがある。このようなウェアラブルディスプレイは、通常は、映像を表示する表示部と音声を出力するヘッドホーンとを有している。
【特許文献１】ＷＯ２００４／０６１５１９Ａ１公報
【発明の開示】
【発明が解決しようとする課題】
【０００４】
このようなヘッドマウントディスプレイにおいては、頭部側面と接触する左右のイヤーパッドと、前記イヤーパッドをそれぞれ保持する左右の保持部と、前記保持部を連結して、前記イヤーパッドを頭部側面の左右に押し付けるような付勢力を与えるヘッドバンド部と、一方の前記保持部に第１の回動部を介して連結された表示部アームと、前記表示部アームの先端に第２の回動部を介して連結された表示部を有し、使用に際しては、第１の回動部と第２の回動部を適当に回動させて、表示部を視線に対応する姿勢とするのが普通である。そのため、ヘッドマウントディスプレイを装着するたび毎にこの調整が必要であり、煩わしいという問題があった。又、表示部を保持する機構が片持ち構造のため、表示部の重さにより、第１の回動部、第２の回動部が回動し、表示部の位置や姿勢がずれてしまい、再調整が必要であるという問題点もあった。
【０００５】
本発明はこのような事情に鑑みてなされたものであり、調整後の表示部が動きにくく、再調整が容易であるヘッドマウントディスプレイを提供することを課題とする。
【課題を解決するための手段】
【０００６】
前記課題を解決するための第１の手段は、頭部に装着して使用し、映像を出力するヘッドマウントディスプレイであって、頭部側面と接触する左右のパッドと、前記パッドをそれぞれ保持する左右の保持部と、前記保持部を連結して、前記パッドを頭部側面の左右に押し付けるような付勢力を与えるヘッドバンド部と、一方の前記保持部に第１の回動部を介して連結された表示部アームと、前記表示部アームの先端に第２の回動部を介して連結された表示部を有し、前記第１の回動部は、クリック機構により、１〜５°の間の所定の値をピッチとして間欠的な回動が可能であることを特徴とするヘッドマウントディスプレイである。
【０００７】
前記課題を解決するための第２の手段は、前記第１の手段であって、前記第１の回動部の標準的な回動位置に、目印が設けられていることを特徴とするものである。
【０００８】
前記課題を解決するための第３の手段は、頭部に装着して使用し、映像を出力するヘッドマウントディスプレイであって、頭部側面と接触する左右のパッドと、前記パッドをそれぞれ保持する左右の保持部と、前記保持部を連結して、前記パッドを頭部側面の左右に押し付けるような付勢力を与えるヘッドバンド部と、一方の前記保持部に第１の回動部を介して連結された表示部アームと、前記表示部アームの先端に第２の回動部を介して連結された表示部を有し、前記第２の回動部は、クリック機構により、３〜１０°の間の所定の値をピッチとして間欠的な回動が可能であることを特徴とするヘッドマウントディスプレイである。
【０００９】
前記課題を解決するための第４の手段は、前記第３の手段であって、前記第２の回動部の標準的な回動位置に、目印が設けられていることを特徴とするものである。
【００１０】
前記課題を解決するための第５の手段は、頭部に装着して使用し、映像を出力するヘッドマウントディスプレイであって、頭部側面と接触する左右のパッドと、前記パッドをそれぞれ保持する左右の保持部と、前記保持部を連結して、前記パッドを頭部側面の左右に押し付けるような付勢力を与えるヘッドバンド部と、一方の前記保持部に第１の回動部を介して連結された表示部アームと、前記表示部アームの先端に第２の回動部を介して連結された表示部を有し、前記第１の回動部は、クリック機構により、１〜５°の間の所定の値をピッチとして間欠的な回動が可能であり、前記第２の回動部は、クリック機構により、３〜１０°の間の所定の値をピッチとして間欠的な回動が可能であり、前記第１の回動部の回動ピッチと、前記第２の回動部の回動ピッチの比が、１〜２の間の値とされていることを特徴とするヘッドマウントディスプレイである。
【発明の効果】
【００１１】
本発明によれば、調整後の表示部が動きにくく、再調整が容易であるヘッドマウントディスプレイを提供することができる。
【発明を実施するための最良の形態】
【００１２】
以下、本発明の実施の形態の例を、図を用いて説明する。図１は、本発明の実施の形態の１例であるヘッドマウントディスプレイの概要を示す図である。このヘッドマウントディスプレイは、両耳を左右から押さえてヘッドマウントディスプレイを頭部に固定するイヤーパッド１、２を備えている。各イヤーパッド１、２の中にはスピーカーが設けられ、それぞれの耳に音声を出力する。
【００１３】
各イヤーパッド１、２は、自在ヒンジを介して、それぞれ保持部３、４に固定されている。左右の保持部３、４は、その摺動部３ａ、４ａが、ヘッドバンド部５内に摺動自在に差し込まれ、ヘッドバンド部５により連結されている。ヘッドバンド部５は弾力性を有し、イヤーパッド１、２を左右から耳部に押し付ける付勢力を与える。
【００１４】
保持部４には、回動部６を介して表示部アーム７が、装着時の左右方向を回動軸として回動自在に設けられ、表示部アーム７先端部には表示部８が回動部９を介して取り付けられている。
【００１５】
回動部６の回動軸は、装着時の左右方向となっており、これにより、表示部アーム７は保持部４に対して上下方向の回動が可能である。又、回動部６には小型スイッチ等に用いられている周知のクリック機構が設けられており、表示部アーム７の回動は決まったピッチずつ可能なようになっている。そのため、ある回動位置から次の回動位置まで回動させるには、ある程度の力を要し、容易に回動できないようになっている。この回動のピッチは、１〜５°の間の所定の値としておくのが、使用上望ましい。このように、表示部アーム７の回動がクリック機構により制限されるので、一度位置調整を行っておけば、非装着時に位置ずれを起こす可能性が少なくなり、装着のたびに調整し直す必要が少なくなる。又、表示部８の重さにより、使用中に回動して位置ずれを起こす可能性を無くすることができる。
【００１６】
又、表示部アーム７の回動位置には、ある程度の標準的な値があるので、回動部６に目印を付け、保持部４に付けられた目印と合ったときに、この標準的な回動位置となるようにしておくと、調整が容易となる。
【００１７】
回動部９の回動は、３軸方向に可能であるが、このうち、装着時の左右方向を回動軸とする回動は、周知の揺動するスイッチのクリック機構を、各軸方向毎に設けたクリック機構を介して行われている。よって、回動部９のこの回動軸を中心とする回動は決まったピッチずつ可能なようになっており、表示部８をある回動位置から次の回動位置まで回動させるには、ある程度の力を要し、容易に回動できないようになっている。この回動のピッチは、３〜１０°の間の所定の値としておくのが、使用上望ましい。このように、回動部９の回動がクリック機構により制限されるので、一度位置調整を行っておけば、非装着時に位置ずれを起こす可能性が少なくなり、装着のたびに調整し直す必要が少なくなる。
【００１８】
又、表示部８の回動位置には、ある程度の標準的な値があるので、回動部９に目印を付け、表示部８に付けられた目印と合ったときに、この標準的な回動位置となるようにしておくと、調整が容易となる。
【００１９】
さらに、回動部６の回動のピッチと回動部９の回動のピッチとの間に、ある関係を持たせておくと、表示部８の向きを視線に合わせるのが容易となる。すなわち、回動部６の回動のピッチと表示部８の回動のピッチの比が、１〜２の間の値となるようにしておくとよい
【図面の簡単な説明】
【００２０】
【図１】本発明の実施の形態の１例であるヘッドマウントディスプレイの概要を示す図である。
【符号の説明】
【００２１】
１…イヤーパッド、２…イヤーパッド、３…保持部、３ａ…摺動部、４…保持部、４ａ…摺動部、５…ヘッドバンド部、６…回動部、７…表示部アーム、８…表示部、９…回動部
【図１】
2008147742.tif 000003